(57)【要約】  本発明は撮像装置による監視システムに関わり、特に撮像装置が取得した画像に環境状況等の監視情報を付加する画像表示方法に関わる。【課題】  従来の撮像装置を使用した監視システムでは、モニタ画面に表示されている画像を取得している撮像装置の名称や、撮像装置の設置場所の地名、撮像装置のプリセットポジション、等をモニタ画面に表示していた。【解決手段】  撮像装置によって監視場所の映像を取得し、取得した映像をモニタ画面上に表示して監視する監視カメラシステムにおいて、モニタ画面上に監視場所の監視情報を重畳または付加して表示する。【選択図】  図１
2005094554.tif 000002
【特許請求の範囲】
【請求項１】
撮像装置によって監視場所の映像を取得し、取得した映像をモニタ画面上に表示して監視する監視カメラシステムにおいて、上記モニタ画面上に、上記監視場所の監視情報を重畳または付加して表示することを特徴とする監視情報表示方法。
【請求項２】
請求項２記載の監視情報表示方法において、上記監視情報は、上記監視場所に設置されたセンサからの情報であることを特徴とする監視情報表示方法。
【請求項３】
請求項１または請求項２のいずれかに記載の監視情報表示方法において、上記監視情報は、上記撮像装置の設定状態を含むことを特徴とする監視情報表示方法。
【請求項４】
請求項１乃至請求項３のいずれか１つに記載の監視情報表示方法において、上記監視情報は、上記撮像装置が複数ある場合に、上記モニタ画面上に表示された映像が、上記撮像装置のいずれかであるかを示す情報を含むことを特徴とする監視情報表示方法。
【請求項５】
請求項３記載の監視情報表示方法において、上記監視情報は、上記撮像装置の雲台による旋回機能またはズーム機能の少なくとも１つの情報を含むことを特徴とする監視情報表示方法。
【発明の詳細な説明】
【技術分野】
【０００１】
本発明は、カメラ等の撮像装置による監視システムに関わり、特に撮像装置が取得した画像に環境状況等の監視情報を付加する画像表示方法に関わる。
【背景技術】
【０００２】
従来のカメラ等の撮像装置を使用した監視システムでは、モニタ画面に表示されている画像を取得している撮像装置（以下、本明細書では、カメラと称する）の名称や、カメラの設置場所の地名、カメラのプリセットポジション、等をモニタ画面に表示していた（例えば、特許文献１参照。）。
【０００３】
【特許文献１】特願２００２−１７９２４９号
【発明の開示】
【発明が解決しようとする課題】
【０００４】
前述の従来技術には、カメラが設置されている場所の環境情報を監視モニタに文字情報を表示していなかった。従って、カメラを設置した場所の環境が良く分からない欠点があった。
本発明の目的は、上記のような欠点を除去し、カメラの設置場所の環境情報をモニタに表示可能な監視カメラの情報表示方法及び監視システムを提供することにある。
【課題を解決するための手段】
【０００５】
上記の目的を達成するため、本発明の監視情報表示方法は、撮像装置によって監視場所の映像を取得し、取得した映像をモニタ画面上に表示して監視する監視カメラシステムにおいて、モニタ画面上に監視場所の監視情報を重畳または付加して表示することを特徴とする。
また、本発明の監視情報表示方法の監視情報は、監視場所に設置されたセンサからの情報であることを特徴とする。
また、本発明の監視情報表示方法の監視情報は、撮像装置の設定状態を含むことを特徴とする。
また、本発明の監視情報表示方法の監視情報は、撮像装置の雲台による旋回機能またはズーム機能の少なくとも１つの情報を含むことを特徴とする。
また、本発明の監視情報表示方法の監視情報は、撮像装置が複数ある場合に、モニタ画面上に表示された映像が、撮像装置のいずれかであるかを示す情報を含むことを特徴とする。
更に、本発明の監視情報表示方法は、環境情報を取得するためにセンサ（気温、風速、雨量、等）を使用し、センサの情報を文字情報表示用に変換して、文字表示装置の文字書き込み書き換えを行うことを特徴とする。
【発明の効果】
【０００６】
監視カメラシステムでは、カメラの名称のみ付加した映像で監視を行っているが設置場所の環境情報を付加することにより、一目で環境情報がわかり映像を見ているだけではなく非常に有効な映像といえる。
【発明を実施するための最良の形態】
【０００７】
本発明の実施例を以下で説明する。
【実施例１】
【０００８】
以下、本発明の一実施例を図１と図２によって説明する。
図１は、本発明の監視システムの一実施例の構成を示すブロック図である。
21 はカメラ、22 はセンサ、23 はカメラ 21 を制御するための制御部、24 は制御部 23 からの表示文字制御により文字表示を行う機能を有する文字表示部、25 はカメラ 21 が撮像した画像を表示するモニタ、26 はオペレータがカメラ 21 を含む監視システムを操作するための操作部である。制御部 23 は、センサ 22 の情報の取得と文字表示装置 24 への表示文字制御の機能を有する。
【０００９】
センサ 22 は、例えば、カメラ 21 の設置場所近傍、または、カメラ21 が撮影している監視場所内の少なくともいずれか１箇所に設置され、例えば、気温を測定する温度計、湿度を測定する湿度計、風速を測定する風速計、風向を調べる風向計、降雨量を測定する雨量計、気圧を測定する気圧計、海、湖沼、川や水門の水位を測定する水位系、河水の流速を測定する流速計、時計、等の少なくとも１つを含む。また、センサ 22 は、外部環境を検知するものばかりではなく、例えば、カメラ 21 のカメラ番号、また例えば、カメラ21 の稼動状況（ズーム、アイリス、モノクロ／カラー撮影、等）や異常等を検知する機能を含む。
また、同一機能のセンサが異なる場所や、同一の設置場所であっても異なるセンシング方向に設置されても良い。
【００１０】
センサ 22 は、常時または予め定められた周期で、またはオペレータからの指示によって、設置された場所の環境情報を取得し、取得した情報を、常時または予め定められた周期で、またはオペレータからの指示によって、制御部 23 に出力する。
制御部 23 は、入力された、制御部内で環境センサの情報を文字情報表示用に変換して、文字表示部 24 に対して表示文字の書き込みデータを送出する。
文字表示部 24 では表示文字の書き込みデータにより必要な文字情報を映像信号に載せて（重畳または付加して）モニタ 25 に送出する。モニタ 25 は与えられた信号によって画面に映像を表示する。
【００１１】
図２は実際のモニタ画面上の文字情報表示例を示す図である。
センサ 22 により文字情報表示を行うが、環境センサが複数有る場合は交互に表示することもできる。27 はモニタ画面、28 はセンサとしての温度計からの環境情報である気温の表示、29 はセンサとしてのカメラ番号認識機能によるカメラ番号表示である。図２のモニタ画面 27 では、煩雑さを避けるため、カメラ 21 が取得した監視場所の映像を省略している。
図２において、モニタ 25 は、「気温 18 ℃ 」の表示 28 を画面 27 の左上に表示し、かつ、「カメラ No 1 」の表示 29 をモニタ画面 27 の下部中央に表示している。表示28 や29 の他、モニタ画面 27 の所定の場所に、例えば、「風速 8 m 」とか、「雨量 10 mm 」等のセンサ情報を表示することができる。
【実施例２】
【００１２】
図３と図４によって、本発明の他の実施例を説明する。
図３は、本発明の監視システムの一実施例の構成を示すブロック図である。図３の構成は、図１の構成のカメラ 21 のかわりに、カメラ 31 に、雲台 32 とズーム機構 33 を有する一体型雲台カメラ 21′を備え、制御部 23 のかわりに、図１の機能のほかに、一体型雲台カメラ 21′の雲台 32 とズーム機構 33 の制御を行なう制御部 23′を備え、また、操作部 26 のかわりに、図１の機能の他に、雲台 32 とズーム機構 33 を制御部 23′を介して操作することができる操作部 26′を備えている。
図１と同一の機能の説明は、省略する。
【００１３】
図３の一体型雲台カメラ 21′のような、旋回式カメラを採用しているシステムでは、カメラの監視方向を任意に変更することができるので、現在どの方向を見ているのか（どの方向に旋回しているのか）モニタに写る映像だけでは判断できない場合がある。
例えば、道路監視の場合、その映像が上り車線を監視しているのか下り車線なのか判断できない場合がある。
旋回式カメラから出力される位置情報（例えば、カメラ 31 のパン角、チルト角、及びズーム比）を使用し、ある程度の範囲を決めて文字情報の表示を行う。このように、カメラの視野方向や監視している目標物等を文字情報として、取得され映像とともに表示すると監視しているユーザは、特に複数のモニタ画面やカメラを切り換えて監視している場合に、監視作業がやりやすい。
【００１４】
図３において、操作部 26′は、ユーザからの指示に応答して、制御部 23′を介して一体型雲台カメラ 21′の監視方向を変更する。このとき、一体型雲台カメラ 21′からパン角とチルト角の角度情報が制御部 23′に出力される。制御部 23′では、入力された角度情報と、予め設定された角度情報データベースとを照合し、必要な文字情報を与える信号を文字表示部 24 に出力する。文字表示部 24 は、入力された信号に応じた文字情報を一体型雲台カメラ 21′から与えられた映像信号に重畳してモニタ 25 に送出する。
【００１５】
図４は、道路監視システムにおける、上り車線と下り車線を撮影しているカメラからの映像と、文字情報とを、モニタ 25 のモニタ画面 27 に表示した文字情報表示の一例である。図４の例では、カメラの向きにより、現在の映像が、上り方面を撮影していることを示すため、破線枠で囲った表示 30 に「カメラ番号と共に（上り方面）」と表示している。
【００１６】
図３と図４の例では、ユーザが操作部 27′を操作してカメラの雲台 32 やズーム機構 33 を制御した。しかし、例えば、プリセット機能を有する一体型雲台カメラの場合には、プリセット機能を利用して、例えばプリセットポジション毎に文字情報を表示するよう制御部に設定すればシステム運用者はモニタ画面を見るだけで今現在向いているカメラの方向、被写体と言った情報を瞬時に得ることができる。
【産業上の利用可能性】
【００１７】
このような、センサ情報や制御情報を、撮像した映像と共に表示することは、モニタ等で、監視や分析をしているユーザにとって、そのカメラがどんな状態での映像を取得しているのか、何処の場所を撮影しているのか、等、映像情報を的確に判断する上で、重要な情報となる。
【図面の簡単な説明】
【００１８】
【図１】本発明の監視システムの一実施例の構成を示すブロック図。
【図２】本発明のモニタ画面上の文字情報表示の一実施例を示す図。
【図３】本発明の監視システムの一実施例の構成を示すブロック図。
【図４】本発明のモニタ画面上の文字情報表示の一実施例を示す図。
【符号の説明】
【００１９】
21：カメラ、  22：センサ、  23，23′：制御部、  24：文字表示部、  25：モニタ、  26，26′：操作部、  27：モニタ画面、  28，29，30：表示、  21′：一体型雲台カメラ、  31：カメラ、  32：雲台、  33：ズーム機構。
【図１】
2005094554.tif 000003
【図２】
2005094554.tif 000004
【図３】
2005094554.tif 000005
【図４】
2005094554.tif 000006